(57)【要約】      （修正有）【課題】作業員が切断手段を移動させながら溶接ビート等を切断しなければならないため、もっと手軽に切断作業ができる移動式切断機を提供する。【解決手段】門型に形成された移動基体１と、移動基体１と直交すべく配設された移動用レール２と、移動用レール２に沿って平行に移動基体１を変位せしめる自走手段３とを備える。移動基体１は、一対の走行レール１ｂ，１ｂと、切断手段及び同切断手段を駆動せしめるモーター５とを備える。移動用レール２には、片側の走行レール１ｂが摺動自在に組み付けられ、被溶接金属に着脱自在に止着させる電磁石６，６…を備える。自走手段３は、移動用レール２と所定間隔を介して平行に配設される牽引バネ３ａと、牽引バネ３ａを移動基体１に連結するための連結部３ｂと、牽引バネ３ａを回動自在に巻き取るための巻回装置３ｃ及びキャスタレール３ｄとを備える。【選択図】 図２
0003135242.tif 000002
【実用新案登録請求の範囲】
【請求項１】
鉄骨構造又は鋼管コンクリート構造における鋼管柱などの被溶接金属の溶接部若しくは切断部に沿って配設される移動用レールと、該移動用レールに対し変位自在に配置された回転式カッター等の切断手段と、該切断手段を駆動させるための駆動モーターと、該駆動モーター及び／又は前記カッターを保持するための移動基体と、該移動基体を前記移動用レールに沿って変位せしめる自走手段とを備えてなることを特徴とする移動式切断機。
【請求項２】
前記自走手段は、前記移動用レールに沿って前記切断手段を自走させるための牽引バネであることを特徴とする請求項１に記載の移動式切断機。
【請求項３】
前記自走手段は、前記移動用レールと平行に配設される牽引バネと、該牽引バネを移動基体に連結するための連結部と、前記牽引バネを回動自在に巻き取るための巻回装置及び／又はキャスタレールとを備えてなることを特徴とする請求項１又は２に記載の移動式切断機。
【請求項４】
前記切断手段は、幅方向に伸縮自在に調整できる門型の移動基体を介して前記移動用レールに摺動自在に組み付けられていることを特徴とする請求項１に記載の移動式切断機。
【考案の詳細な説明】
【技術分野】
【０００１】
本考案は、主として溶接ビードを切断するために使用される移動式切断機に関し、更に詳しくは、自走しながら鉄骨構造又は鉄筋コンクリート構造における鉄骨柱などの接続部に突設されるジョイントプレート、ガイドピース、吊りピース若しくはエレクションピース等の突起体や溶接ビートを簡単かつ平滑に切断することができる有用な移動式切断機の改良に関する。
【背景技術】
【０００２】
従来、斯かる移動式切断機としては、例えば、鉄骨構造における鉄骨柱等の固定部に着脱自在に取り付けされるレールガイドと、該レールガイドに取り付けられた走行レールと、該走行レールに摺動自在に取り付けられてガイドピース、吊りピース或いはエレクションピース等の突起物を切断せしめる切断手段とを備えている（特許文献１参照）。
【特許文献１】特開２００６−２１２６５号公報
【考案の開示】
【考案が解決しようとする課題】
【０００３】
しかしながら、上述した従来の切断機にあっては、バーナーで切断する手間が省けると共に、煙、火炎が発生してしまうなどの危惧をも解消できるといった利点を有するものの、切断手段を、その都度、作業員が移動させながらエレクションピースや溶接ビート等を切断しなければならないため、もっと手軽に切断作業ができる移動式切断機が要望されている。
【０００４】
本考案はこのような従来の問題点及び要望に鑑みてなされたもので、ジョイントプレート、ガイドピース、エレクションピース、吊りピースなどの突起体や溶接ビートを頗る簡単に切断することができる有用な移動式切断機を提供することを目的としたものである。
【課題を解決するための手段】
【０００５】
上述の如き従来の問題点を解決し、所期の目的を達成するため本考案の要旨とする構成は、鉄骨構造又は鋼管コンクリート構造における鋼管柱などの被溶接金属の溶接部若しくは切断部に沿って配設される移動用レールと、該移動用レールに対し変位自在に配置された回転式カッター等の切断手段と、該切断手段を駆動させるための駆動モーターと、該駆動モーター及び／又は前記カッターを保持するための移動基体と、該移動基体を前記移動用レールに沿って変位せしめる自走手段とを備えてなる移動式切断機に存する。
【０００６】
また、前記自走手段は、移動用レールに沿って前記切断手段を自走せしめる牽引バネであるのが良く、延いては、前記移動用レールと平行に配設される牽引バネと、該牽引バネを移動基体に連結するための連結部と、前記牽引バネを回動自在に巻き取るための巻回装置及び／又はキャスタレールとを備えるのが良い。
【０００７】
更に、前記切断手段は、幅方向に伸縮自在に調整できる門型の移動基体を介して前記移動用レールに摺動自在に組み付けられるのが良い。
【考案の効果】
【０００８】
鉄骨構造又は鋼管コンクリート構造における鋼管柱などの被溶接金属の溶接部若しくは切断部に沿って配設される移動用レールと、該移動用レールに対し変位自在に配置された回転式カッター等の切断手段と、該切断手段を駆動させるための駆動モーターと、該駆動モーター及び／又は前記カッターを前記移動用レールに沿って変位せしめる自走手段とを備えたことによって、自走手段の操作で前記切断手段を移動用レールに沿って自走させながら溶接ビード等を切断することができるため、作業員にとって切削作業効率が大幅に改善されるといった効果を奏する。
【０００９】
また、前記自走手段が、移動用レールに沿って前記切断手段を自走せしめる牽引バネであること、延いては、前記移動用レールと平行に配設される牽引バネと、該牽引バネを移動基体に連結するための連結部と、前記牽引バネを回動自在に巻き取るための巻回装置及び／又はキャスタレールとを備えたことによって、切断機に牽引バネをコンパクトに付設できると共に、キャスタレールを介して自走手段自体の移動・運搬も手軽に行えるといった効果を奏する。
【００１０】
また、前記切断手段が、幅方向に伸縮自在に調整できる門型の移動基体を介して前記移動用レールに摺動自在に組み付けたことによって、ジョイントプレート、ガイドピース、エレクションピース、吊りピースなどの突起体や溶接ビートの大きさや位置に応じて移動基体の大きさ（門型の空間）を調整できるため、より簡単に切断し易くなるといった効果を奏する。
【考案を実施するための最良の形態】
【００１１】
鉄骨構造又は鋼管コンクリート構造における鋼管柱などの被溶接金属の溶接部若しくは切断部に沿って配設される移動用レールと、該移動用レールに対し変位自在に配置された回転式カッター等の切断手段と、該切断手段を駆動させるための駆動モーターと、該駆動モーター及び／又は前記カッターを前記移動用レールに沿って変位せしめる自走手段とを備える。自走手段は、移動用レールと平行に配設される牽引バネと、該牽引バネを移動基体に連結するための連結部と、前記牽引バネを回動自在に巻き取るための巻回装置及び／又はキャスタレールとを備える。前記切断手段は、幅方向に伸縮自在に調整できる門型の移動基体を介して前記移動用レールに摺動自在に組み付けるのが良い。
【実施例】
【００１２】
次に、本考案に係る移動式切断機の実施の一例を図面を参照しながら説明する。図中Ａは、本考案に係る移動式切断機であり、この移動式切断機Ａは、図１に示すように、門型に形成された移動基体１と、該移動基体と直交すべく配設された移動用レール２と、該移動用レール２に沿って平行に前記移動基体１を変位せしめる自走手段３とを備えている。
【００１３】
移動基体１は、伸縮手段１ａを介して幅方向に伸縮自在に調整できる門型の基体からなり、一対の走行レール１ｂ，１ｂと、切断手段４及び同切断手段４を駆動せしめるモーター５とが組み付けられている。
【００１４】
伸縮手段１ａは、図示はしないが、左半身部の移動基体１と右半身部の移動基体１とを連結する調整基盤と、該調整基盤の幅方向に形成された少なくも一以上の孔若しくは長孔からなる調整孔（図示せず）とを備え、任意の調整孔を選択してボルト締めすることにより幅方向への伸縮割合を調整することができる。
【００１５】
移動用レール２には、片側の走行レール１ｂが摺動自在に組み付けられると共に、被溶接金属に着脱自在に止着させるＯＮ／ＯＦＦスイッチ６ａを備えた電磁石６，６…が所定間隔で付設されている。
【００１６】
ここで、被溶接金属とは、鉄骨構造又は鉄筋コンクリート構造における鉄骨柱の接続部に突設されるジョイントプレート、ガイドピース、吊りピース、エレクションピース等の突起体若しくは溶接ビードを総称するものである。
【００１７】
自走手段３は、図２に示すように、前記移動用レール２と所定間隔を介して平行に配設される牽引バネ３ａと、該牽引バネ３ａを前記移動基体１に連結するための連結部３ｂと、前記牽引バネ３ａを回動自在に巻き取るための巻回装置３ｃ及びキャスタレール３ｄとを備えている。
【００１８】
巻回装置３ａは、常時、引き出されている牽引バネ３ａ(図２参照)を内設されている駆動モータ(図示せず)を介して巻き込むことにより、前記移動基体１を移動用レール２の後端２ａ方向に牽引するものであり、電磁石６，６…にて被溶接金属に簡単に固定することができる。
【００１９】
切断手段４は、例えば、バンドソーやサンダー等の回転式カッターからなり、３つのプーリー７，７…を介して回動するように組み付けられている。
【００２０】
このように構成される本実施例の移動式切断機Ａは、切断したいエレクションピース等の突起体や溶接ビードの被溶接金属の溶接部に対し、前記移動用レール２を平行にした状態で電磁石７，７…をＯＮにして被溶接金属の溶接部に吸着させるだけで簡単に滑動状態にセットすることができる。
【００２１】
次いで、切断手段４の高さ調整をした後、モーター５のスイッチを入れ、同切断手段４を高速に回転せしめた状態で切断作業を開始する。次いで、自走手段３の簡単操作で、切断手段４を移動できるため、換言すれば、前記移動用レール２の長手方向に沿って切断手段４を自走させながら突起体や溶接ブレードを根本から平滑（フラット）に切断することができる。
【００２２】
また、回転式カッター４等の切断手段が破断したり、また、ベース異常が発生した時にはセンサー（図示せず）が作動して駆動モーター５などを停止するように安全性についても考慮されていることは云うまでもない。
【００２３】
このように本考案の移動式切断機では、Ｈ鋼、鉄筋柱、鉄筋円柱等のフランジにでも、簡単にセッティングできるのみならず、自走しながら切断できるため、従来に比して切断作業条件が大幅に改善されるものである。
【００２４】
尚、本考案の移動式切断機は、本実施例に限定されることなく、本考案の目的の範囲内で自由に設計変更できるものであり、本考案はそれらの全てを包摂するものである。例えば、本実施例で使用している自走手段は、牽引バネを使用しているが、これに限定されることなく、エアーレギュレータや電動ギア（図示せず）などを使用して自動走行できるようにしても良い。
【図面の簡単な説明】
【００２５】
【図１】本考案に係る移動式切断機を示す正面図である。
【図２】同移動式切断機の平面図である。
【図３】同移動式切断機の右側面図である。
【図４】同移動式切断機の左側面図である。
【図５】同移動式切断機の底面図である。
【図６】同移動式切断機の背面図である。
【符号の説明】
【００２６】
１  移動基体
１ａ  伸縮手段
１ｂ  走行レール
２  移動用レール
２ａ  後端
３  自走手段
３ａ  牽引バネ
３ｂ  連結部
３ｃ  巻回装置
３ｄ  キャスタレール
４  切断手段
５  モーター
６  電磁石
６ａ  スイッチ
７  プーリー
【図１】
0003135242.tif 000003
【図２】
0003135242.tif 000004
【図３】
0003135242.tif 000005
【図４】
0003135242.tif 000006
【図５】
0003135242.tif 000007
【図６】
0003135242.tif 000008